(57)【要約】【課題】  所定の電子メールが受信されていることを他人に知られてしまうのを防止すること。【解決手段】  携帯電話機は、電子メールを受信する受信部（Ｓ０２）と、受信された電子メールのうちで送信元を示す送信元情報に対してプライバシー保護が設定されているプライバシー電子メールを予め定められたパスワードが入力されることを条件に表示する電子メール表示管理部と、サイドキーが押下されることに応じて（Ｓ０４でＹＥＳ）、パスワードを入力するためのパスワード入力画面を表示する認証部（Ｓ０５）と、プライバシー電子メールが受信されているか否かを判断する判断部（Ｓ１０）手段と、パスワードが入力されることに応じて（Ｓ０７でＹＥＳ）判断結果を表示する通知部（Ｓ１１、Ｓ１８）と、を備える。【選択図】        図６
2011008573.tif 000002
【特許請求の範囲】
【請求項１】
電子メールを受信する受信手段と、
前記受信された電子メールのうちで送信元を示す送信元情報に対してプライバシー保護が設定されているプライバシー電子メールを予め定められたパスワードが入力されることを条件に表示する電子メール表示制御手段と、
所定のキーが押下されることに応じて、前記パスワードを入力するためのパスワード入力画面を表示する入力画面表示制御手段と、
前記プライバシー電子メールが受信されているか否かを判断する判断手段と、
前記パスワードが入力されることに応じて前記判断結果を表示する通知手段と、を備えた通信装置。
【請求項２】
前記パスワード入力画面は、前記所定のキーの押下のみで他の操作を必要とせずに表示される、請求項１に記載の通信装置。
【請求項３】
前記電子メール表示制御手段は、前記判断結果が表示された状態で所定時間経過すると、次に前記パスワードが入力されるまで前記プライバシー電子メールを表示しない、請求項１または２に記載の通信装置。
【請求項４】
前記通知手段は、前記プライバシー電子メールが受信されている場合と、前記プライバシー電子メールが受信されていない場合とで、次に受け付ける操作が異なる通知画面を表示する、請求項１〜３のいずれかに記載の通信装置。
【請求項５】
前記通知手段は、前記プライバシー電子メールが受信されている場合に電子メールを閲覧するか否かを問い合わせる第１通知画面を表示し、前記プライバシー電子メールが受信されていない場合に、次に前記パスワードが入力されるまで前記プライバシー電子メールを表示しない設定に変更するか否かを問い合わせる第２通知画面を表示する、請求項４に記載の通信装置。
【請求項６】
電子メールを受信するステップと、
前記受信された電子メールのうちで送信元を示す送信元情報に対してプライバシー保護が設定されているプライバシー電子メールを予め定められたパスワードが入力されることを条件に表示するステップと、
所定のキーが押下されることに応じて、前記パスワードを入力するためのパスワード入力画面を表示するステップと、
前記プライバシー電子メールが受信されているか否かを判断するステップと、
前記パスワードが入力されることに応じて前記判断結果を表示するステップと、をコンピュータに実行させる電子メール表示方法。
【請求項７】
電子メールを受信するステップと、
前記受信された電子メールのうちで送信元を示す送信元情報に対してプライバシー保護が設定されているプライバシー電子メールを予め定められたパスワードが入力されることを条件に表示するステップと、
所定のキーが押下されることに応じて、前記パスワードを入力するためのパスワード入力画面を表示するステップと、
前記プライバシー電子メールが受信されているか否かを判断するステップと、
前記パスワードが入力されることに応じて前記判断結果を表示するステップと、をコンピュータに実行させる電子メール表示プログラム。
【発明の詳細な説明】
【技術分野】
【０００１】
この発明は、通信装置、電子メール表示方法および電子メール表示プログラムに関し、特に電子メールを受信する機能を備えた通信装置、電子メール表示方法および電子メール表示プログラムに関する。
【背景技術】
【０００２】
近年、携帯電話機は、電子メールを送受信する機能を有しており、さらに、特定の相手から受信される電子メールを通常は表示しないようにしておき、パスワードが入力されることを条件に表示するプライバシー機能を有するものがある。例えば、特開２００６−２１１３９３号公報には、秘匿対象の通信相手をセキュリティメンバとして登録しておき、着信が発生した場合に、その発信元がセキュリティメンバ以外であれば通常通り着信報知動作を行うが、発信元がセキュリティメンバの場合には着信報知動作を行わず、代わりに待ち受け画面等に常に表示されている時計の表示色を、ユーザ自ら設定したユーザのみが知る表示色に変化させるようにした携帯電話機が記載されている。
【０００３】
しかしながら、発信元がセキュリティメンバの場合に、待ち受け画面等に常に表示されている時計の表示色が変化するので、色が変化したことを見る他人に、セキュリティメンバから着信があったことを知られてしまうといった問題がある。
【特許文献１】特開２００６−２１１３９３号公報
【発明の開示】
【発明が解決しようとする課題】
【０００４】
この発明は上述した問題点を解決するためになされたもので、この発明の目的の一つは、所定の電子メールが受信されていることを他人に知られてしまうのを防止しつつ、ユーザに通知することが可能な通信機器を提供することである。
【０００５】
この発明のさらに他の目的は、所定の電子メールが受信されていることを他人に知られてしまうのを防止しつつ、ユーザに通知することが可能な電子メール表示方法を提供することである。
【０００６】
この発明のさらに他の目的は、所定の電子メールが受信されていることを他人に知られてしまうのを防止しつつ、ユーザに通知することが可能な電子メール表示プログラムを提供することである。
【課題を解決するための手段】
【０００７】
上述した目的を達成するためにこの発明のある局面によれば、通信機器は、電子メールを受信する受信手段と、受信された電子メールのうちで送信元を示す送信元情報に対してプライバシー保護が設定されているプライバシー電子メールを予め定められたパスワードが入力されることを条件に表示する電子メール表示制御手段と、所定のキーが押下されることに応じて、パスワードを入力するためのパスワード入力画面を表示する入力画面表示制御手段と、プライバシー電子メールが受信されているか否かを判断する判断手段と、パスワードが入力されることに応じて判断結果を表示する通知手段と、を備える。
【０００８】
この局面に従えば、プライバシー電子メールは予め定められたパスワードが入力されることを条件に表示されるが、所定のキーが押下されることに応じて、予め定められたパスワードを入力するためのパスワード入力画面が表示され、パスワードが入力されることに応じて、プライバシー電子メールが受信されているか否かが判断され、判断結果が表示される。換言すれば、パスワードが入力されなければ、プライバシー電子メールが受信されているか否かの判断結果が表示されない。このため、プライバシー電子メールの存在を、パスワードを知るユーザのみに通知することができる。その結果、所定の電子メールが受信されていることを他人に知られてしまうのを防止しつつ、ユーザに通知することが可能な通信機器を提供することができる。
【０００９】
好ましくは、パスワード入力画面は、所定のキーの押下のみで他の操作を必要とせずに表示される。
【００１０】
この局面に従えば、ユーザは所定のキーを押下する簡単な操作をするだけで、パスワード入力画面が表示されるので、パスワード入力画面を表示させるための煩雑な操作を省略することができる。このため、所定の電子メールを閲覧するための操作を簡略化することができる。
【００１１】
好ましくは、電子メール表示制御手段は、判断結果が表示された状態で所定時間経過すると、次にパスワードが入力されるまでプライバシー電子メールを表示しない。
【００１２】
この局面に従えば、例えば、所定の電子メールが表示可能な状態で通信機器が他人に操作された場合に、所定の電子メールが他人に見られるのを防止することができる。
【００１３】
好ましくは、通知手段は、プライバシー電子メールが受信されている場合と、プライバシー電子メールが受信されていない場合とで、次に受け付ける操作が異なる通知画面を表示する。
【００１４】
この局面に従えば、プライバシー電子メールの有無によって、操作を異ならせるので、表示する画面数を少なくすることができる。
【００１５】
好ましくは、通知手段は、プライバシー電子メールが受信されている場合に電子メールを閲覧するか否かを問い合わせる第１通知画面を表示し、プライバシー電子メールが受信されていない場合に、次にパスワードが入力されるまでプライバシー電子メールを表示しない設定に変更するか否かを問い合わせる第２通知画面を表示する。
【００１６】
この局面に従えば、ユーザは、プライバシー電子メールが受信されている場合は、電子メールを閲覧するか否かを第１通知画面で設定することができるとともに、プライバシー電子メールが受信されていない場合は、第２通知画面でプライバシー電子メールの表示の設定を変更することができるため、ユーザの操作性を向上させることができる。
【００１７】
この発明の他の局面によれば、電子メール表示方法は、電子メールを受信するステップと、受信された電子メールのうちで送信元を示す送信元情報に対してプライバシー保護が設定されているプライバシー電子メールを予め定められたパスワードが入力されることを条件に表示するステップと、所定のキーが押下されることに応じて、パスワードを入力するためのパスワード入力画面を表示するステップと、プライバシー電子メールが受信されているか否かを判断するステップと、パスワードが入力されることに応じて判断結果を表示するステップと、をコンピュータに実行させる。
【００１８】
この局面に従えば、所定の電子メールが受信されていることを他人に知られてしまうのを防止しつつ、ユーザに通知することが可能な電子メール表示方法を提供することができる。
【００１９】
この発明のさらに他の局面によれば、電子メールを受信するステップと、受信された電子メールのうちで送信元を示す送信元情報に対してプライバシー保護が設定されているプライバシー電子メールを予め定められたパスワードが入力されることを条件に表示するステップと、所定のキーが押下されることに応じて、パスワードを入力するためのパスワード入力画面を表示するステップと、プライバシー電子メールが受信されているか否かを判断するステップと、パスワードが入力されることに応じて判断結果を表示するステップと、をコンピュータに実行させる。
【００２０】
この局面に従えば、所定の電子メールが受信されていることを他人に知られてしまうのを防止しつつ、ユーザに通知することが可能な電子メール表示プログラムを提供することができる。
【発明を実施するための最良の形態】
【００２１】
以下、本発明の実施の形態について図面を参照して説明する。以下の説明では同一の部品には同一の符号を付してある。それらの名称および機能も同じである。したがってそれらについての詳細な説明は繰り返さない。
【００２２】
図１は、本発明の実施の形態の一つにおける携帯電話機の外観を示す斜視図である。図１を参照して、携帯電話機１は、表示側部２と、操作側部３と、を含む。表示側部２は、その裏面が操作側部３の表面と向かい合うように、操作側部３に長手方向にスライド可能に取り付けられる。図１においては、表示側部２を操作側部３に対してスライドさせて、携帯電話機１が開いた状態を示している。携帯電話機１が閉じた状態に置いては、表示側部２の裏面は、操作側部３の表面と重なる。
【００２３】
表示側部２の表面は、カメラ２４と、液晶表示装置（ＬＣＤ）１５と、ＬＣＤ１５上に重畳されたタッチパネル１６と、レシーバとしての第１スピーカ１１と、が配置される。タッチパネル１６は、透明な部材からなり、ＬＣＤ１５の表示面の全体に渡ってそれに重畳して配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイ等を用いてもよい。
【００２４】
携帯電話機１が開いた状態において、操作側部３の表面の一部が露出する。操作側部３は、表面の露出する部分に通話キー、通話終了キー、上下左右にカーソルを移動させるための指示キー、テンキーを含む操作キー１７と、マイクロホン１３とが配置される。また、操作側部３の側面には、サイドキー１９が配置される。携帯電話機１が閉じた状態において、操作側部３の表面に設けられた操作キー１７が表示側部２により覆い隠される。一方、サイドキー１９は、携帯電話機１が閉じた状態において、ユーザが操作可能である。
【００２５】
図２は、本実施の形態における携帯電話機のハードウェア構成の一例を示すブロック図である。図２を参照して、携帯電話機１は、携帯電話機１の全体を制御するための制御部２１と、アンテナ２２Ａと接続された無線回路２２と、音声データを符号化または復号するためのコーデック部２３と、音声データを処理し音声を制御するための音声制御部２８と、カメラ２４と、ユーザの操作の入力を受付ける操作部２５と、着信を報知するための振動部２６と、制御部２１で実行するプログラム等を記憶するためのフラッシュメモリ３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００２６】
無線回路２２は、制御部２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００２７】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、制御部２１に出力する。また、無線回路２２は、制御部２１から入力される電子メールを電子メールサーバに送信する。制御部２１は、電子メールサーバとの間で送受信した電子メールをフラッシュメモリ３１に記憶する。
【００２８】
操作部２５は、タッチパネル１６と、操作キー１７と、サイドキー１９とを含む。タッチパネル１６は、圧力の変化を感知する感圧式であってもよいし、静電気による電気信号を感知する静電式であってもよい。ここでは静電式を用いている。タッチパネル１６は、ユーザがタッチパネル１６に指で触れると、ユーザが指で触れた位置を指示位置として検出し、指示位置を制御部２１に出力する。操作キー１７およびサイドキー１９は、ユーザにより押下されると、押下されたことを示す信号を制御部２１に出力する。
【００２９】
音声制御部２８は、マイクロホン１３と接続され、マイクロホン１３が集音して出力するアナログの音声信号が入力される。音声制御部２８は、マイクロホン１３から入力される音声信号をコーデック部２３に出力する。また、音声制御部２８は、コーデック部２３から音声信号が入力され、コーデック部２３から入力された音声信号をスピーカ１１に出力する。
【００３０】
カードＩ／Ｆ２７には、着脱可能なメモリカード２７Ａが装着される。メモリカード２７Ａは、フラッシュメモリ等の不揮発性メモリを有し、プログラムを記憶可能である。制御部２１は、カードＩ／Ｆ２７を介して、メモリカード２７Ａにアクセスが可能である。なお、ここでは制御部２１で実行するためのプログラムをフラッシュメモリ３１に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、制御部２１が、無線回路２２を介してインターネットに接続されたコンピュータからプログラムをダウンロードし、そのプログラムを実行するようにしてもよい。ここでいうプログラムは、制御部２１により直接実行可能なプログラムだけでなく、ソースプログラム、圧縮処理されたプログラム、暗号化されたプログラム等を含む。
【００３１】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。制御部２１は、カメラ２４が出力する静止画データまたは動画データをＬＣＤ１５に表示する、または、圧縮符号化方式で静止画データまたは動画データを符号化して、フラッシュメモリ３１またはカードＩ／Ｆ２７に装着されたメモリカード２７Ａに記憶する。
【００３２】
本実施の形態における携帯電話機１は、フラッシュメモリ３１にアドレス帳を記憶している。アドレス帳は、送信先の複数のユーザそれぞれに対応した複数のアドレス帳データを含む。図３は、アドレス帳データのフォーマットの一例を示す図である。図３を参照して、アドレス帳データは、電子メールの送信者または受信者を識別するためのユーザ識別情報が設定されるユーザ識別情報の項目と、電子メールの送信者もしくは受信者に割り当てられた電子メールアドレスが設定される電子メールアドレスの項目と、プライバシー保護の有無が設定されるプライバシー保護の項目と、を含む。以下、プライバシー保護の項目が「有」に設定されている電子メールアドレスが送信元の電子メールアドレスに設定された電子メールを、プライバシー電子メールといい、プライバシー保護の項目が「無」に設定されている電子メールアドレスが送信元の電子メールアドレスに設定された電子メールを、通常電子メールという。
【００３３】
携帯電話機１は、電子メールを受信するとそれをフラッシュメモリ３１に記憶する。図４は、フラッシュメモリに記憶される電子メールのフォーマットの一例を示す図である。図４を参照して、電子メールは、電子メールの送信元の電子メールアドレスが設定される送信元アドレスの項目と、電子メール本文が設定される電子メール本文の項目と、電子メールにデータが添付されている場合にそのデータが設定される添付データの項目と、電子メール本文がユーザにより閲覧されたか否かを示す未読区分の項目とを含む。未読区分には、ユーザにより閲覧されたことを示す「既読」と、ＬＣＤ１５に表示されておらず、ユーザにより閲覧されていないことを示す「未読」とのいずれかが設定される。未読区分は、電子メールが受信されると「未読」が設定され、ＬＣＤ１５に本文が表示されると「既読」が設定される。換言すれば、電子メールが受信されてからＬＣＤ１５に本文が表示されるまで未読区分が「未読」に設定され、ＬＣＤ１５に１度でも本文が表示された後は未読区分が「既読」に設定される。
【００３４】
携帯電話機１は、プライバシー設定を有効と無効とのいずれかに切り換える。携帯電話機１は、プライバシー設定が有効に設定されている場合、プライバシー電子メールの着信、本文およびそれが添付されている場合にはその添付データを表示しない。携帯電話機１は、携帯電話機１のプライバシー設定が無効に設定されている場合、プライバシー電子メールの着信、本文およびそれが添付されている場合には添付データをＬＣＤ１５に表示可能となる。携帯電話機１は、プライバシー設定が有効に設定されている場合、予め定められたパスワードが操作部２５に入力されることを条件に、プライバシー設定を無効に設定する。また、携帯電話機１は、プライバシー設定が無効に設定されている場合、予め定められたパスワードが操作部２５に入力されることを条件に、プライバシー設定を有効に設定する。
【００３５】
図５は、携帯電話機が備える制御部の機能の概要を示す機能ブロック図である。図５を参照して、制御部２１は、電子メールを受信する電子メール受信部５１と、受信された電子メールをフラッシュメモリ３１に記憶する電子メール記憶部５３と、ユーザによる操作を受け付ける操作受付部５５と、操作受付部５５により受け付けられたパスワードを認証する認証部５９と、フラッシュメモリ３１にプライバシー電子メールが記憶されているか否かを判断する判断部５７と、判断結果を通知する通知部６１と、フラッシュメモリ３１に記憶された電子メールの表示を管理する電子メール表示管理部６３と、を含む。
【００３６】
電子メール受信部５１は、無線回路２２が電子メールサーバから電子メールを受信すると、受信された電子メールを無線回路２２から受け付ける。電子メール受信部５１は、受け付けた電子メールを電子メール記憶部５３に出力する。電子メール記憶部５３は、電子メール受信部５１から入力される電子メールをフラッシュメモリ３１に記憶する。これにより、フラッシュメモリ３１に受信された電子メールが記憶される。
【００３７】
操作受付部５５は、ユーザが操作部２５に入力する操作を受け付け、受け付けた操作を認証部５９、判断部５７、通知部６１または電子メール表示管理部６３に出力する。操作受付部５５は、サイドキー１９が押下されると、サイドキー１９が押下されたことを示す信号を、判断部５７、認証部５９および電子メール表示管理部６３に出力する。操作受付部５５は、操作キー１７またはタッチパネル１６にパスワードが入力されると、受け付けたパスワードを認証部５９に出力する。操作受付部５５は、ユーザが操作キー１７またはタッチパネル１６に電子メールを閲覧する操作を入力すると、その操作を電子メール表示管理部６３に出力する。
【００３８】
判断部５７は、操作受付部５５からサイドキー１９が押下されたことを示す信号が入力されると、フラッシュメモリ３１に記憶されているアドレス帳および電子メールを参照して、フラッシュメモリ３１に未読のプライバシー電子メールが記憶されているか否かを判断し、判断結果を通知部６１に送信する。フラッシュメモリ３１に記憶されているプライバシー電子メールが未読か否かは、プライバシー電子メールの未読区分の項目に設定されている値に基づいて判断する。
【００３９】
認証部５９は、操作受付部５５からサイドキー１９が押下されたことを示す信号が入力されると、ＬＣＤ１５にパスワード入力画面を表示する。そして、ユーザが操作部２５にパスワードを入力すると、認証部５９は操作受付部５５からパスワードが入力される。認証部５９は、入力されたパスワードが予め記憶されたパスワードと一致するか否かを判断する。操作受付部５５から入力されるパスワードが予め記憶されたパスワードと一致するならば認証し、両者が一致しなければ認証しない。認証部５９は、認証に成功したか否かを示す認証結果を通知部６１に出力する。
【００４０】
通知部６１は、認証部５９から認証成功を示す認証結果が入力される場合、判断部５７から入力される判断結果をＬＣＤ１５に表示する。具体的には、判断部５７からフラッシュメモリ３１に未読のプライバシー電子メールが記憶されていることを示す判断結果が入力される場合、「プライバシー電子メールが受信されています。」のメッセージを表示すし、判断部５７からフラッシュメモリ３１に未読のプライバシー電子メールが記憶されていないことを示す判断結果が入力される場合、「プライバシー電子メールは受信されていません。」のメッセージを表示する。認証部５９による認証が成功することを条件に、判断部５７による判断結果、具体的には、未読のプライバシー電子メールが存在するか否かを示すメッセージを表示するので、パスワードを知るユーザのみが未読のプライバシー電子メールが存在するか否かを知ることができる。
【００４１】
通知部６１は、さらに、認証部５９から認証成功を示す認証結果が入力され、かつ、判断部５７からフラッシュメモリ３１に未読のプライバシー電子メールが記憶されていることを示す判断結果が入力される場合、電子メールを閲覧するか否かを問い合わせる閲覧確認画面（第１通知画面）を表示し、ユーザによる応答を受け付ける。通知部６１は、ユーザによる応答を受け付けることなく所定時間（この所定時間は、例えば閲覧確認画面を表示してからの所定時間であったり、閲覧確認画面を表示してから所定時間経過する前にユーザによる操作を受け付ける場合にはユーザによる最後の操作を受け付けてからの所定時間などである）、例えば、１０秒が経過すれば、プライバシー設定を有効に設定し、ＬＣＤ１５に待受画面を表示する。閲覧確認画面を表示してから所定時間経過する前、閲覧確認画面を表示してから所定時間経過する前にユーザによる操作を受け付ける場合にはユーザによる最後の操作を受け付けてから所定時間経過する前に、ユーザが閲覧することを示す応答を操作部２５に入力すれば、電子メール表示管理部６３に表示指示を出力するが、ユーザが閲覧しないことを示す応答を操作部２５に入力すれば、プライバシー設定を無効に維持したままＬＣＤ１５に待受画面を表示する。ユーザによる操作は、例えば、閲覧確認画面において、ユーザが操作キー１７またはタッチパネル１６で、選択肢を選択する操作を含む。
【００４２】
また、通知部６１は、認証部５９から認証成功を示す認証結果が入力され、かつ、判断部５７からフラッシュメモリ３１に未読のプライバシー電子メールが記憶されていないことを示す判断結果が入力される場合、プライバシー設定を有効に変更するか否かを問い合わせる設定変更確認画面（第２通知画面）を表示し、ユーザによる応答を受け付ける。通知部６１は、ユーザによる応答を受け付けることなく所定時間（この所定時間は、例えば設定変更確認画面を表示してからの所定時間であったり、設定変更確認画面を表示してから所定時間経過する前にユーザによる操作を受け付ける場合にはユーザによる最後の操作を受け付けてからの所定時間などである）、例えば、１０秒が経過すれば、プライバシー設定を有効に設定し、ＬＣＤ１５に待受画面を表示する。設定変更確認画面を表示してから所定時間経過する前、設定変更確認画面を表示してから所定時間経過する前にユーザによる操作を受け付ける場合にはユーザによる最後の操作を受け付けてから所定時間経過する前に、ユーザがプライバシー設定を有効に変更することを示す応答を操作部２５に入力すれば、プライバシー設定を有効に設定し、ＬＣＤ１５に待受画面を表示するが、ユーザがプライバシー設定を有効に変更しないことを示す応答を操作部２５に入力すれば、プライバシー設定を無効に維持したままＬＣＤ１５に待受画面を表示する。ユーザによる操作は、例えば、設定変更確認画面において、ユーザが操作キー１７またはタッチパネル１６で、選択肢を選択する操作を含む。
【００４３】
電子メール表示管理部６３は、操作受付部５５により閲覧指示が受け付けられると、フラッシュメモリ３１に記憶されている電子メールを表示する。閲覧指示は、電子メールを閲覧するための指示であり、ユーザが予め定められたキーを押下すると、操作受付部により受け付けられる。電子メール表示管理部６３は、プライバシー設定が有効に設定されている場合に通常電子メールのみを表示する有効時閲覧処理を実行し、プライバシー設定が無効に設定されている場合に通常電子メールおよびプライバシー電子メールを表示する無効時閲覧処理を実行する。
【００４４】
具体的には、電子メール表示管理部６３は、プライバシー設定が有効に設定されている場合、フラッシュメモリ３１に記憶されている電子メールのうち通常電子メールのみを表示し、プライバシー電子メールを表示しない。電子メール表示管理部６３は、フラッシュメモリ３１に記憶されている電子メールの一覧を表示する場合、プライバシー設定が有効に設定されている場合は、フラッシュメモリ３１に記憶されている電子メールのうち通常電子メールのみのタイトル等を表示し、プライバシー電子メールのタイトル等を表示しない。電子メール表示管理部６３は、ユーザが、表示された通常電子メールのタイトル等を指定すれば、指定された通常電子メールまたはプライバシー電子メールの本文または添付ファイルを表示する。
【００４５】
電子メール表示管理部６３は、プライバシー設定が無効に設定されている場合、フラッシュメモリ３１に記憶されているすべての電子メールを表示する。換言すれば、通常電子メールとプライバシー電子メールを表示する。フラッシュメモリ３１に記憶されている電子メールの一覧を表示する場合、フラッシュメモリ３１に記憶されているすべての電子メール、換言すれば通常電子メールとプライバシー電子メールとのタイトル等を含む一覧を表示し、ユーザによりタイトル等が指定されると、指定された通常電子メールまたはプライバシー電子メールの本文または添付ファイルを表示する。
【００４６】
図６および図７は、電子メール表示処理の流れの一例を示すフローチャートである。電子メール表示処理は、制御部２１が電子メール表示プログラムを実行することにより、制御部２１により実行される処理である。図６を参照して、制御部２１は、ＬＣＤ１５に待受画面を表示する。待受画面は、着信またはユーザの操作が受け付けられるのを待機するための画面であり、予め定められた画面である。また、ユーザにより予め設定された画像を表示する画面であってもよい。
【００４７】
次のステップＳ０２においては、電子メールを受信したか否かを判断する。無線回路２２により電子メールが受信されたか否かを判断する。電子メールを受信したならば処理をステップＳ０３に進めるが、そうでなければステップＳ０３をスキップして処理をステップＳ０４に進める。ステップＳ０３においては、受信された電子メールをフラッシュメモリ３１に記憶し、処理をステップＳ０４に進める。
【００４８】
ステップＳ０４においては、サイドキー１９が押下されたか否かを判断する。サイドキー１９が押下されたならば処理をステップＳ０５に進め、そうでなければ処理をステップＳ２４に進める。ステップＳ０５においては、パスワード入力画面をＬＣＤ１５に表示し、処理をステップＳ０６に進める。ユーザがサイドキー１９を押下する簡単な操作をするだけで、パスワード入力画面が表示されるので、プライバシー設定を無効に設定するための煩雑な操作を省略することができる。なお、ここではサイドキー１９が押下される場合を例に示すが、サイドキー１９に限られず、予め定められたキーであればよい。
【００４９】
ステップＳ０６においては、パスワードを受け付けたか否かを判断する。パスワードを受け付けるまで待機状態となり（ステップＳ０６でＮＯ）、パスワードを受け付けたならば（ステップＳ０６でＹＥＳ）、処理をステップＳ０７に進める。
【００５０】
図８は、パスワード入力画面の一例を示す図である。図８を参照して、パスワード入力画面１１１は、パスワードを入力する領域１１５を含む。ユーザが操作キー１７にパスワードを入力すると、領域１１５にパスワードが入力されたことが表示される。パスワードそのものを表示するのではなく、例えばパスワード１文字に対して１つの＊印などを表示する。
【００５１】
図６に戻って、ステップＳ０７においては、ステップＳ０６において受け付けられたパスワードが、予め記憶されたパスワードと一致するか否かを判断する。受け付けられたパスワードが予め記憶されたパスワードと一致するならば処理をステップＳ０８に進めるが、そうでなければ処理をステップＳ０１に戻す。パスワードが一致しない場合には、他人が操作している可能性があるので、何ら処理を実行することなく、待受画面を表示させる。
【００５２】
ステップＳ０８においては、プライバシー設定が有効に設定されているか否かを判断する。有効に設定されているならば処理をステップＳ０９に進めるが、無効に設定されているならば処理をステップＳ２３に進める。ステップＳ２３においては、プライバシー設定を有効に設定し、処理をステップＳ２４に進める。これにより、フラッシュメモリ３１にプライバシー電子メールが記憶されている場合、未読または既読のプライバシー電子メールを表示できない状態になる。ステップＳ０９においては、プライバシー設定を無効に設定し、処理をステップＳ１０に進める。これにより、フラッシュメモリ３１にプライバシー電子メールが記憶されている場合、未読または既読のプライバシー電子メールが表示可能な状態となる。
【００５３】
ステップＳ１０においては、フラッシュメモリ３１に未読のプライバシー電子メールが記憶されているかを判断する。フラッシュメモリ３１に未読のプライバシー電子メールが少なくとも１つでも記憶されているならば処理をステップＳ１１に進めるが、１つも記憶されていなければ処理をステップＳ１８に進める。
【００５４】
ステップＳ１１においては、未読のプライバシー電子メールが存在することを通知し、処理をステップＳ１２に進める。具体的には、ＬＣＤ１５に「プライバシー電子メールが受信されています。」のメッセージを表示する。ステップＳ１２においては、閲覧確認画面を表示する。閲覧確認画面は、電子メールの閲覧をユーザに確認するための画面である。
【００５５】
図９は、閲覧確認画面を含む表示画面の一例を示す図である。図９を参照して、表示画面１２１は、未読のプライバシー電子メールが存在することを通知するための領域１２３と、閲覧確認画面１２５とを含む。閲覧確認画面１２５は、ユーザによる閲覧するか否かの応答を促すメッセージと、ユーザが応答を入力するための領域とを含む。メッセージは、例えば、「電子メールを閲覧しますか？」である。ユーザが応答を入力するための領域は、「はい」の文字が表されたボタンと、「いいえ」の文字が表されたボタンとを含む。ユーザが「はい」の文字が表されたボタンを指示すれば、電子メールを閲覧するための閲覧指示が携帯電話機１に入力され、ユーザが「いいえ」の文字が表されたボタンを指示すれば、電子メールを閲覧しない指示が携帯電話機１に入力される。
【００５６】
図６に戻って、ステップＳ１３においては、閲覧確認画面１２５を表示してから所定時間が経過したか否かを判断する、所定時間経過したならば処理をステップＳ１７に進めるが、そうでなければ処理をステップＳ１４に進める。ステップＳ１７においては、プライバシー設定を有効に設定し、処理をステップＳ２４に進める。これにより、フラッシュメモリ３１にプライバシー電子メールが記憶されている場合、未読または既読のプライバシー電子メールを表示しない状態になる。閲覧確認画面１２５を表示してから所定時間が経過すると、プライバシー設定を有効に設定する。例えば、ユーザがプライバシー設定が無効に設定されている携帯電話機１において、閲覧確認画面１２５を表示したまま放置した場合等であっても、所定時間経過後はプライバシー設定が有効に設定されるので、他人が携帯電話機１を操作してもプライバシー電子メールが見られるのを防止することができる。
【００５７】
なお、プライバシー設定を有効にする条件を、閲覧確認画面１２５を表示してから所定時間が経過する前にユーザによる操作を受け付けた場合は、操作を受け付けた時から計時してもよい。換言すれば、閲覧確認画面１２５を表示後にユーザによる操作を受け付けることなく経過する時間、閲覧確認画面１２５を表示後にユーザによる操作を受け付ける場合は、ユーザによる最後の操作を受け付けてから経過する時間が所定時間を経過すると、プライバシー設定を有効に設定する。ここで言う操作は、例えば、閲覧確認画面１２５において、「はい」の文字が表されたボタンと、「いいえ」の文字が表されたボタンのいずれかを選択する操作を含む。
【００５８】
ステップＳ１４においては、応答を受け付けたか否かを判断する。閲覧指示または閲覧しない指示のいずれかを受け付けたならば処理をステップＳ１５に進めるが、そうでなければ処理をステップＳ１３に戻す。ステップＳ１５においては、受け付けられた応答が閲覧指示か否かを判断する。閲覧指示が受け付けられたならば処理をステップＳ１６に進めるが、そうでなく閲覧しない指示が受け付けられたならば処理をステップＳ２４に進める。ステップＳ１５またはステップＳ１６から処理がステップＳ２４に進む場合、プライバシー設定は無効に設定されたままである。
【００５９】
一方、ステップＳ１８においては、未読のプライバシー電子メールが存在しないことを通知し、処理をステップＳ１９に進める。具体的には、ＬＣＤ１５に「プライバシー電子メールは受信されていません。」のメッセージを表示する。ステップＳ１９においては、設定変更確認画面を表示する。設定変更確認画面は、プライバシー設定を有効に設定することをユーザに確認するための画面である。
【００６０】
図１０は、設定変更確認画面を含む表示画面の一例を示す図である。図１０を参照して、表示画面１３１は、未読のプライバシー電子メールが存在しないことを通知するための領域１３３と、設定変更確認画面１３５とを含む。設定変更確認画面１３５は、プライバシー設定を有効に設定するか否かの応答を促すメッセージと、ユーザが応答を入力するための領域とを含む。メッセージは、例えば、「プライバシー設定を有効に設定しますか？」である。ユーザが応答を入力するための領域は、「はい」の文字が表されたボタンと、「いいえ」の文字が表されたボタンとを含む。ユーザが「はい」の文字が表されたボタンを指示すれば、プライバシー設定を有効に設定する変更指示が携帯電話機１に入力され、ユーザが「いいえ」の文字が表されたボタンを指示すれば、プライバシー設定を有効に設定しない指示が携帯電話機１に入力される。
【００６１】
図６に戻って、ステップＳ２０においては、設定変更確認画面１３５を表示してから所定時間が経過したか否かを判断する、所定時間経過したならば処理をステップＳ２３に進めるが、そうでなければ処理をステップＳ２１に進める。ステップＳ２３においては、プライバシー設定を有効に設定し、処理をステップＳ２４に進める。これにより、フラッシュメモリ３１にプライバシー電子メールが記憶されている場合、未読または既読のプライバシー電子メールを表示しない状態になる。設定変更確認画面１３５を表示してから所定時間が経過すると、プライバシー設定を有効に設定する。例えば、ユーザがプライバシー設定が無効に設定されている携帯電話機１において、設定変更確認画面１３５を表示したまま放置した場合等であっても、所定時間経過後はプライバシー設定が有効に設定されるので、他人が携帯電話機１を操作してもプライバシー電子メールが見られるのを防止することができる。
【００６２】
なお、プライバシー設定を有効にする条件を、設定変更確認画面１３５を表示してから所定時間が経過する前にユーザによる操作を受け付けた場合は、操作を受け付けた時から計時してもよい。換言すれば、設定変更確認画面１３５を表示後にユーザによる操作を受け付けることなく経過する時間、閲覧確認画面１３５を表示後にユーザによる操作を受け付ける場合は、ユーザによる最後の操作を受け付けてから経過する時間が所定時間を経過すると、プライバシー設定を有効に設定する。ここでいう操作は、例えば、設定変更確認画面１３５において、「はい」の文字が表されたボタンと、「いいえ」の文字が表されたボタンのいずれかを選択する操作を含む。
【００６３】
ステップＳ２１においては、応答を受け付けたか否かを判断する。変更指示または有効に設定しない指示のいずれかを受け付けたならば処理をステップＳ２２に進めるが、そうでなければ処理をステップＳ２０に戻す。ステップＳ２２においては、受け付けられた応答が変更指示か否かを判断する。変更指示が受け付けられたならば処理をステップＳ２３に進めるが、そうでなく有効に設定しない指示が受け付けられたならば処理をステップＳ２４に進める。ステップＳ２２においてＮＯの場合、プライバシー設定は無効に設定されたままである。ステップＳ２３においては、プライバシー設定を有効に設定し、処理をステップＳ２４に進める。
【００６４】
図７を参照して、ステップＳ２４においては、閲覧指示を受け付けたか否かを判断する。具体的には、ユーザが操作部２５に、閲覧指示を入力したならば、閲覧指示を受け付ける。閲覧指示を受け付けたならば、処理をステップＳ２５に進め、そうでなければ処理をステップＳ２８に進める。ステップＳ２５においては、プライバシー設定が無効に設定されているか否かを判断する。無効に設定されているならば処理をステップＳ２６に進めるが、有効に設定されているならば処理をステップＳ２７に進める。
【００６５】
ステップＳ２６においては、無効時閲覧処理を実行し、処理をステップＳ２８に進める。無効時閲覧処理は、プライバシー設定が無効に設定されている場合において、電子メールを表示する処理である。電子メールを表示する処理については周知なのでここでは説明を繰り返さない。無効時閲覧処理は、表示の対象とする電子メールを、プライバシー電子メールと通常電子メールとして、それらを表示する処理である。
【００６６】
ステップＳ２７においては、有効時閲覧処理を実行し、処理をステップＳ２８に進める。有効時閲覧処理は、プライバシー設定が有効に設定されている場合において、電子メールを表示する処理である。有効時閲覧処理は、表示の対象とする電子メールを、通常電子メールのみとして、それを表示する処理である。表示の対象とする電子メールにプライバシー電子メールを含まない点で、無効時閲覧処理と異なる。
【００６７】
ステップＳ２８においては、プライバシー設定変更指示を受け付けたか否かを判断する。具体的には、ユーザが操作部２５に、プライバシー設定変更指示を入力したならば、プライバシー設定変更指示を受け付ける。プライバシー設定変更指示を受け付けたならば、処理をステップＳ２９に進め、そうでなければ処理をステップＳ０１に戻す。プラーバシー設定変更指示は、ユーザが操作部２５に予め定められた操作をすることによって、携帯電話機１に入力される。
【００６８】
ステップＳ２９においては、パスワード入力画面をＬＣＤ１５に表示し、処理をステップＳ３０に進める。ステップＳ３０においては、パスワードを受け付けたか否かを判断する。パスワードを受け付けるまで待機状態となり（ステップＳ３０でＮＯ）、パスワードを受け付けたならば（ステップＳ３０でＹＥＳ）、処理をステップＳ３１に進める。
【００６９】
ステップＳ３１においては、ステップＳ３０において受け付けられたパスワードが、予め記憶されたパスワードと一致するか否かを判断する。受け付けられたパスワードが予め記憶されたパスワードと一致するならば処理をステップＳ３２に進めるが、そうでなければ処理をステップＳ０１に戻す。パスワードが一致しない場合には、他人が操作している可能性があるので、何ら処理を実行することなく、待受画面を表示させる。
【００７０】
ステップＳ３２においては、プライバシー設定が有効に設定されているか否かを判断する。有効に設定されているならば処理をステップＳ３３に進めるが、無効に設定されているならば処理をステップＳ３４に進める。ステップＳ３３においては、プライバシー設定を無効に設定し、処理をステップＳ０１に戻す。これにより、フラッシュメモリ３１にプライバシー電子メールが記憶されている場合、未読または既読のプライバシー電子メールが表示可能な状態となる。一方、ステップＳ３４においては、プライバシー設定を有効に設定し、処理をステップＳ０１に戻す。これにより、フラッシュメモリ３１にプライバシー電子メールが記憶されている場合、未読または既読のプライバシー電子メールが表示されない状態となる。
【００７１】
以上説明したように本実施の形態における携帯電話機１は、予め定められたパスワードが入力されることを条件にプライバシー設定を無効に設定し、プライバシー電子メールを表示するが、サイドキー１９が押下されることに応じて、パスワード入力画面を表示し、パスワードが入力されることに応じて、未読のプライバシー電子メールが記憶されているか否かを判断し、未読のプライバシー電子メールの存否を通知する。換言すれば、パスワードが入力されなければ、プライバシー電子メールが記憶されているか否かの判断結果が表示されない。このため、プライバシー電子メールの存在を、パスワードを知るユーザのみに通知することができる。
【００７２】
また、パスワード入力画面は、サイドキー１９が押下のみで他の操作を必要とせずに表示されるので、ユーザがプライバシー電子メールを閲覧するための操作を簡略化することができる。
【００７３】
さらに、未読のプライバシー電子メールが記憶されているか否の判断結果が表示された状態で所定時間経過すると、プライバシー設定を有効に設定し、次にパスワードが入力されるまでプライバシー電子メールを表示しない。例えば、ユーザがプライバシー設定を無効にした状態で携帯電話機１を放置した場合等であっても、所定時間経過後は他人が形態電話機１を操作してもプライバシー電子メールが見られるのを防止することができる。
【００７４】
さらに、プライバシー電子メールが記憶されている場合に電子メールを閲覧するか否かを問い合わせる閲覧確認画面を表示し、プライバシー電子メールが記憶されていない場合に設定変更確認画面を表示する。このため、未読のプライバシー電子メールの有無によって操作を異ならせるので、表示する画面数を少なくすることができ、操作を簡略にすることができる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】本発明の実施の形態の一つにおける携帯電話機の外観を示す斜視図である。
【図２】本実施の形態における携帯電話機のハードウェア構成の一例を示すブロック図である。
【図３】アドレス帳データのフォーマットの一例を示す図である。
【図４】フラッシュメモリに記憶される電子メールのフォーマットの一例を示す図である。
【図５】携帯電話機が備える制御部の機能の概要を示す機能ブロック図である。
【図６】電子メール表示処理の流れの一例を示す第１のフローチャートである。
【図７】電子メール表示処理の流れの一例を示す第２のフローチャートである。
【図８】パスワード入力画面の一例を示す図である。
【図９】閲覧確認画面を含む表示画面の一例を示す図である。
【図１０】設定変更確認画面を含む表示画面の一例を示す図である。
【符号の説明】
【００７７】
１  携帯電話機、２  表示側部、３  操作側部、１１  スピーカ、１３  マイクロホン、１５  ＬＣＤ１５  タッチパネル、１７  操作キー、１９  サイドキー、２１  制御部、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、３１  フラッシュメモリ、５１  電子メール受信部、５３  電子メール記憶部、５５  操作受付部、５７  判断部、５９  認証部、６１  通知部、６３  電子メール表示管理部。
【図１】
2011008573.tif 000003
【図２】
2011008573.tif 000004
【図３】
2011008573.tif 000005
【図４】
2011008573.tif 000006
【図５】
2011008573.tif 000007
【図６】
2011008573.tif 000008
【図７】
2011008573.tif 000009
【図８】
2011008573.tif 000010
【図９】
2011008573.tif 000011
【図１０】
2011008573.tif 000012